(57)【要約】【課題】microＳＤＴＭメモリカード等のマイクロメモリカードを複数枚装着し、保存可能なデータ量を増加させるとともに、それぞれに装着したマイクロメモリカードを１枚のマイクロメモリカードとして扱うことも可能な携帯通信端末を提供する。【解決手段】複数枚のマイクロメモリカード例えばmicroＳＤＴＭメモリカードをそれぞれ装着する複数個のメモリカードスロット例えば２個の第１microＳＤＴＭスロット４ａ、第２microＳＤＴＭスロット４ｂを、筐体１の本体側に並列にまたは上下に、または、分離して、蓋側筐体にも実装する。複数枚のマイクロメモリカード間でデータのコピー、移動、比較照合を可能とする。また、複数枚のマイクロメモリカードを分離して個別のマイクロメモリカードとして扱う分離モードと統合して１枚のマイクロメモリカードとして扱う統合モードとの２つのモードを備え、ユーザが任意にモードを選択可能とする。【選択図】        図１
2010219840.tif 000002
【特許請求の範囲】
【請求項１】
データを送受信する機能を有する携帯通信端末において、複数枚のマイクロメモリカードそれぞれを装着するためのメモリカードスロットを複数個備えていることを特徴とする携帯通信端末。
【請求項２】
複数個の前記メモリカードスロットを、当該携帯通信端末の筐体内に並列におよび／または上下に実装することを特徴とする請求項１に記載の携帯通信端末。
【請求項３】
当該携帯通信端末が、蓋側筐体と本体側筐体とからなる開閉自在の構造を有している場合、複数個の前記メモリカードスロットを、前記本体側筐体にまとめて実装するか、あるいは、前記蓋側筐体と前記本体側筐体とに分離して実装することを特徴とする請求項１または２に記載の携帯通信端末。
【請求項４】
複数個の前記メモリカードスロットそれぞれに装着されている複数枚の前記マイクロメモリカード間で、データのコピー、移動、比較照合を行うことが可能であることを特徴とする請求項１ないし３のいずれかに記載の携帯通信端末。
【請求項５】
複数個の前記メモリカードスロットそれぞれに装着されている複数枚の前記マイクロメモリカードを分離して個別のマイクロメモリカードとして扱う分離モードと、複数枚の前記マイクロメモリカードを統合して１枚のマイクロメモリカードとして扱う統合モードとの２つのモードを備えていることを特徴とする請求項１ないし３のいずれかに記載の携帯通信端末。
【請求項６】
当該携帯通信端末のユーザが、当該携帯通信端末の操作部を操作することにより、２つの前記モードのうちいずれかを選択して設定することができることを特徴とする請求項５に記載の携帯通信端末。
【請求項７】
当該携帯通信端末のユーザからの指示により画面表示するメニュー画面として、前記分離モードに設定している場合には、個別に扱っている前記マイクロメモリカードそれぞれの記録領域の使用量を画面表示し、前記統合モードに設定している場合には、複数枚の前記マイクロメモリカードを１枚に統合した合計の記録領域の使用量を画面表示するメニュー画面を有していることを特徴とする請求項５または６に記載の携帯通信端末。
【請求項８】
前記メニュー画面中に２つの前記モード間の切り替えを当該携帯通信端末のユーザが行うことができるモード切り替えボタンを有していることを特徴とする請求項６に記載の携帯通信端末。
【請求項９】
前記マイクロメモリカードがmicroＳＤＴＭメモリカードであり、前記メモリカードスロットが、前記microＳＤＴＭメモリカードを装着するためのmicroＳＤＴＭスロットであることを特徴とする請求項１ないし８のいずれかに記載の携帯通信端末。
【請求項１０】
当該携帯通信端末が、携帯電話機、ＰＨＳ（Personal  Handy-Phone  System）端末、ＰＤＡ（Personal  Digital  Assistants）端末、携帯ノートＰＣ（Personal  Computer）のいずれかであることを特徴とする請求項１ないし９のいずれかに記載の携帯通信端末。
【発明の詳細な説明】
【技術分野】
【０００１】
本発明は、携帯通信端末に関し、特に、複数枚（例えば２枚）のマイクロメモリカード（例えばmicroＳＤＴＭメモリカード）を装着するためのメモリカードスロット（例えばmicroＳＤＴＭスロット）を複数個（例えば２個）備えた携帯通信端末に関する。
【背景技術】
【０００２】
昨今、携帯電話機および無線通信用のインフラ（Infrastructure：基盤）の目覚しい発展により、大容量のデータであっても簡単に入手することができる環境が整備されつつある。
【０００３】
一般的に、携帯電話機や携帯ノートＰＣ（Personal  Computer）などの情報端末において入手することができるデータにはメール、電話帳、写真、音楽、テレビジョン番組、映画等があり、一方、ユーザが簡単に購入することができるＳＤＴＭ（Secure  Digital）メモリカードは、前述のような通信端末において入手することができるデータを保存するためには欠かせない記録媒体となっている。
【０００４】
中でも、近年、携帯電話機のような携帯通信端末の小型化に伴って、特許文献１の特開２００７−１６４２９６号公報「情報処理装置」や特許文献２の特開２００７−１８３８９９号公報「マイクロＳＤメモリカードの形成方法」等にも記載されているように、ＳＤＴＭメモリカードをさらに小型化を図る方向にあり、microＳＤＴＭメモリカードと呼ばれるＳＤＴＭメモリカードよりも大幅に小型の記録媒体（外形寸法は１１ｍｍ×１５ｍｍ×１ｍｍ。ＳＤＴＭメモリカードの１／４程度）が用いられるようになってきており、microＳＤＴＭスロットを実装する通信端末が数多く存在する。
【０００５】
このため、microＳＤＴＭメモリカードを装着可能な機器は、携帯電話機やデジタルカメラや携帯ノートＰＣ（Personal  Computer）といった携帯機器から、テレビなどの家電機器に至るまで、幅広く、これらの各機器にはmicroＳＤＴＭスロットが実装されている。また、microＳＤＴＭメモリカードに格納されるデータとしては動画を含め様々な情報が記録されるため、データのファイルサイズそのものが増加する傾向にあり、microＳＤＴＭメモリカード単体の記録容量も年々増加している。
【先行技術文献】
【特許文献】
【０００６】
【特許文献１】特開２００７−１６４２９６号公報（第５−６頁）
【特許文献２】特開２００７−１８３８９９号公報（第４−５頁）
【発明の概要】
【発明が解決しようとする課題】
【０００７】
従来の通信端末の場合、microＳＤＴＭメモリカードへのデータ保存を可能とする機器については、microＳＤＴＭスロットが１つ存在しているが、１つしか実装されていないため、保存したいデータの合計サイズがmicroＳＤＴＭメモリカードの保存可能なデータ容量を超えた場合、データの保存が不可能となり、microＳＤＴＭメモリカード内の既存の記録データを通信端末内部のデータ格納部に移動する、あるいは、既存の記録データを外部の記録媒体に移動する、もしくは、既存の記録データをmicroＳＤＴＭメモリカードから削除する、等のいずれかの処置をしなければ、新規データを保存することができない。
【０００８】
本発明は、かかる事情に鑑みてなされたものであり、microＳＤＴＭメモリカードのようなマイクロメモリカードを装着することができるメモリカードスロットを複数個例えば２個備えることにより、保存可能なデータ量を増加させるとともに、メモリカードスロットそれぞれに装着したマイクロメモリカード間のデータのコピー／移動動作やデータの比較照合動作を可能にし、さらには、それぞれに装着したマイクロメモリカードを１枚のマイクロメモリカードとして扱うことも可能とする携帯通信端末を提供することを、その目的としている。
【課題を解決するための手段】
【０００９】
前述の課題を解決するため、本発明による携帯通信端末は、次のような特徴的な構成を採用している。
【００１０】
（１）データを送受信する機能を有する携帯通信端末において、複数枚のマイクロメモリカードそれぞれを装着するためのメモリカードスロットを複数個備えている携帯通信端末。
【発明の効果】
【００１１】
本発明の携帯通信端末によれば、以下のような効果を奏することができる。
【００１２】
本発明の携帯通信端末（例えば携帯電話機）に、マイクロメモリカード（例えばmicroＳＤＴＭメモリカード等）を複数枚（例えば２枚）装着することができる複数個（例えば２個）のメモリカードスロット（例えばmicroＳＤＴＭスロット等）を備えることによって、データの保存が可能な記録領域を増加することを可能とするとともに、複数枚（例えば２枚）のマイクロメモリカード（例えばmicroＳＤＴＭメモリカード等）を個別に分離して扱うことも、統合して１つのマイクロメモリカード（例えばmicroＳＤＴＭメモリカード等）として扱うことも可能であり、かつ、当該携帯通信端末（例えば携帯電話機）のユーザが、それぞれを個別に分離して扱うか統合して１つのマイクロメモリカード（例えばmicroＳＤＴＭメモリカード等）として扱うかを任意に選択することも可能である。
【００１３】
さらに、複数枚（例えば２枚）のマイクロメモリカード（例えばmicroＳＤＴＭメモリカード等）を個別に分離して扱うか統合して１つのマイクロメモリカード（例えばmicroＳＤＴＭメモリカード等）として扱うかの如何によらず、複数枚（例えば２枚）のマイクロメモリカード（例えばmicroＳＤＴＭメモリカード等）の間でデータをコピーしたり、移動したり、比較したりすることも可能である。
【図面の簡単な説明】
【００１４】
【図１】本発明に係る携帯通信端末の一例である携帯電話機の装置構成の一例を示す装置構成図である。
【図２】２個のmicroＳＤＴＭスロット部それぞれに装着したmicroＳＤＴＭメモリカードを個別に認識する場合における、２枚のmicroＳＤＴＭメモリカードそれぞれのメモリ使用量をメニュー部としてメインＬＣＤ部に画面表示した画面の一例を示す画面図である。
【図３】２個のmicroＳＤＴＭスロット部それぞれに装着したmicroＳＤＴＭメモリカードを連続した１つのmicroＳＤＴＭメモリカードとして認識する場合における、２枚のmicroＳＤＴＭメモリカード合計のメモリ使用量をメニュー部としてメインＬＣＤ部に画面表示した画面の一例を示す画面図である。
【発明を実施するための形態】
【００１５】
以下、本発明による携帯通信端末の好適な実施例について添付図を参照して説明する。
【００１６】
なお、以下の説明においては、種々のデータを入力することができる通信機能を有する携帯通信端末として携帯電話機を用いる場合を例にとって説明するが、かかる場合に限るものではなく、ＰＨＳ（Personal  Handy-Phone  System）端末、ＰＤＡ端末（Personal  Data  AssistanceまたはPersonal  Digital  Assistants：個人向け携帯型情報通信機器）、携帯ノートＰＣ（Personal  Computer）等、microＳＤＴＭメモリカード等のマイクロメモリカードを装着するメモリカードスロットを備えている通信可能な端末であれば如何なる端末であっても構わない。
【００１７】
また、以下の説明においては、マイクロメモリカードとしてmicroＳＤＴＭメモリカードを用い、携帯通信端末に備えるメモリカードスロットとして、microＳＤＴＭメモリカードを装着するためのmicroＳＤＴＭスロットを用いる場合を例にとって説明するが、microＳＤＴＭメモリカードと外形寸法が同程度（１１ｍｍ×１５ｍｍ×１ｍｍ程度）の超小型のマイクロメモリカードであれば如何なる種類のメモリカードであっても構わない。また、本発明においては、複数枚のマイクロメモリカード（例えばmicroＳＤＴＭメモリカード）を装着するための複数個のメモリカードスロット（例えばmicroＳＤＴＭスロット）を備えた構成であっても良いが、以下の説明においては、説明を簡単にするために、２枚のmicroＳＤＴＭメモリカードを装着するための２個のmicroＳＤＴＭスロットを備えた構成を例にとって説明する。
【００１８】
（本発明の特徴）
本発明の実施形態の説明に先立って、本発明の特徴についてその概要をまず説明する。本発明は、携帯通信端末にマイクロメモリカード（例えばmicroＳＤＴＭメモリカード）用のメモリカードスロットを２個備えることによって、携帯通信端末に装着することができるマイクロメモリカード（例えばmicroＳＤＴＭメモリカード）のデータ記録容量を増加させ、大容量のデータを保存することを可能とするとともに、必要に応じて、２個のメモリカードスロットそれぞれに装着したマイクロメモリカード（例えばmicroＳＤＴＭメモリカード）を１つのマイクロメモリカードとして扱ってデータ保存領域を結合したり、あるいは、それぞれを個別のデータ保存領域として分割したり、あるいは、それぞれに装着したマイクロメモリカード（例えばmicroＳＤＴＭメモリカード）間のデータの相互コピー／移動／比較照合を可能にしたりすることを特徴としている。
【００１９】
（本発明の実施形態の構成例）
図１は、本発明に係る携帯通信端末の一例である携帯電話機の装置構成の一例を示す装置構成図であり、microＳＤＴＭスロットを２個備えている携帯電話機の具体例を示している。図１（Ａ）は、携帯電話機を斜め上から鳥瞰した外観図であり、図１（Ｂ）は、携帯電話機の内部構成の一例を示すブロック構成図である。
【００２０】
図１（Ａ）に示すように、携帯電話機は、筐体１として、例えば１軸式のヒンジを介して本体側筐体と蓋側筐体との２つの筐体部からなっており、蓋側筐体には、液晶画面を有するメインＬＣＤ部２（ＬＣＤ：Liquid  Crystal  Display）が備えられており、本体側筐体には、操作ボタンやキーマトリクスからなる操作部３が備えられている。さらに、２枚のmicroＳＤＴＭメモリカードをそれぞれに装着することができる第１microＳＤＴＭスロット部４ａ、第２microＳＤＴＭスロット部４ｂが、本体側筐体に並列に実装されている。
【００２１】
ただし、本体側筐体の厚みに影響を及ぼさない場合は、第１microＳＤＴＭスロット部４ａ、第２microＳＤＴＭスロット部４ｂを上下に重ねて実装するようにしても良いし、あるいは、第１microＳＤＴＭスロット部４ａ、第２microＳＤＴＭスロット部４ｂのそれぞれに装着した２枚のmicroＳＤＴＭメモリカードの間でデータのやり取りが可能であれば、両者を分離して、第１microＳＤＴＭスロット部４ａ、第２microＳＤＴＭスロット部４ｂの一方例えば第１microＳＤＴＭスロット部４ａを蓋側筐体に実装し、他方例えば第２microＳＤＴＭスロット部４ｂを本体側筐体に実装するようにしても良い。
【００２２】
また、図１（Ｂ）に示すように、当該携帯電話機は、通常の携帯電話機と同様に、全体の動作を制御する制御回路１１、音声信号を処理する音声回路１２、音声信号と制御信号との分離／結合処理を行うチャネルコーデック１３、無線信号を処理する無線回路１４、メインＬＣＤ部２に表示する画面情報を処理する表示回路１５、操作部３から入力されるキー情報を扱うキーマトリクス１６を少なくとも備えている。
【００２３】
さらに、本発明に特有の回路部として、第１microＳＤＴＭスロット部４ａ、第２microＳＤＴＭスロット部４ｂそれぞれに装着される２枚のmicroＳＤＴＭメモリカードとの間でやり取りするデータを処理する第１microＳＤＴＭスロット処理部１７ａ、第２microＳＤＴＭスロット処理部１７ｂを備えている。
【００２４】
（実施形態の動作の説明）
次に、図１に示す携帯電話機の動作の一例について、特に、第１microＳＤＴＭスロット部４ａ、第２microＳＤＴＭスロット部４ｂそれぞれにmicroＳＤＴＭメモリカードを装着した場合の、制御回路１１における２枚のmicroＳＤＴＭメモリカードの取扱い方について、図面を参照しながら、図２、図３の順番に説明する。
【００２５】
図２は、第１microＳＤＴＭスロット部４ａ、第２microＳＤＴＭスロット部４ｂそれぞれに装着したmicroＳＤＴＭメモリカードを個別に認識する場合（つまり分離モード）における、２枚のmicroＳＤＴＭメモリカードそれぞれのメモリ使用量をメニュー部２１としてメインＬＣＤ部２に画面表示した画面の一例を示す画面図である。
【００２６】
当該携帯電話機のユーザから操作部３の操作により、２枚のmicroＳＤＴＭメモリカードそれぞれを個別に分離して扱う分離モードへの設定指示が、キーマトリクス１６から入力された場合は、制御回路１１は、第１microＳＤＴＭスロット部４ａ、第２microＳＤＴＭスロット部４ｂそれぞれに装着した２枚のmicroＳＤＴＭメモリカードを分離して個別に認識するモードとして動作する。かかる分離モードに設定されている状態で、利用者の操作部３の操作により２枚のmicroＳＤＴＭメモリカードのメモリ使用量の画面表示の指示がなされると、該指示をキーマトリクス１６から受け取った制御回路１１は、表示回路１５を制御して、図２に示すようなメニュー部２１を、メインＬＣＤ部２に画面表示する。
【００２７】
図２に示すように、分離モードにおいては、第１microＳＤＴＭスロット部４ａ、第２microＳＤＴＭスロット部４ｂそれぞれに装着した２枚のmicroＳＤＴＭメモリカードのメモリ使用量は、それぞれ、「microＳＤ（１）」、「microＳＤ（２）」として、両者を分離して、「空きデータ」、「保存データ」および「使用率」の形式で画面に表示される。
【００２８】
図２に示すように、第１microＳＤＴＭスロット部４ａ、第２microＳＤＴＭスロット部４ｂそれぞれに装着した２枚のmicroＳＤＴＭメモリカードを分離して個別に扱っている分離モードの場合、第１microＳＤＴＭスロット部４ａ、第２microＳＤＴＭスロット部４ｂそれぞれを介して、それぞれのmicroＳＤＴＭメモリカードに個別にデータを保存することができる。
【００２９】
なお、第１microＳＤＴＭスロット部４ａ、第２microＳＤＴＭスロット部４ｂそれぞれに装着した２枚のmicroＳＤＴＭメモリカードを分離して個別に扱っている分離モードの場合であっても、一方のmicroＳＤＴＭメモリカードの記録内容を他方のmicroＳＤＴＭメモリカードにコピーしたり、移動したりすることも、また、両者の記録内容を比較照合したりすることも可能である。
【００３０】
一方、図３は、第１microＳＤＴＭスロット部４ａ、第２microＳＤＴＭスロット部４ｂそれぞれに装着したmicroＳＤＴＭメモリカードを連続した１つのmicroＳＤＴＭメモリカードとして認識する場合（つまり統合モード）における、２枚のmicroＳＤＴＭメモリカード合計のメモリ使用量をメニュー部２１ＡとしてメインＬＣＤ部２に画面表示した画面の一例を示す画面図である。
【００３１】
当該携帯電話機のユーザから操作部３の操作により、２枚のmicroＳＤＴＭメモリカードを連続した１つのmicroＳＤＴＭメモリカードとして扱う統合モードへの設定指示が、キーマトリクス１６から入力された場合は、制御回路１１は、第１microＳＤＴＭスロット部４ａ、第２microＳＤＴＭスロット部４ｂそれぞれに装着した２枚のmicroＳＤＴＭメモリカードを連続した１つのmicroＳＤＴＭメモリカードとして認識するモードとして動作する。かかる統合モードに設定されている状態で、利用者の操作部３の操作により２枚のmicroＳＤＴＭメモリカードを合計したメモリ使用量の画面表示の指示がなされると、該指示をキーマトリクス１６から受け取った制御回路１１は、表示回路１５を制御して、図３に示すようなメニュー部２１Ａを、メインＬＣＤ部２に画面表示する。
【００３２】
図３に示すように、統合モードにおいては、第１microＳＤＴＭスロット部４ａ、第２microＳＤＴＭスロット部４ｂそれぞれに装着した２枚のmicroＳＤＴＭメモリカードの合計メモリ使用量は、「microＳＤ（１）＋（２）」として、両者を合計して、「空きデータ」、「保存データ」および「使用率」の形式で画面に表示される。
【００３３】
図３に示すように、第１microＳＤＴＭスロット部４ａ、第２microＳＤＴＭスロット部４ｂそれぞれに装着した２枚のmicroＳＤＴＭメモリカードを統合して連続した１つのmicroＳＤＴＭメモリカードとして扱っている統合モードの場合、第１microＳＤＴＭスロット部４ａ、第２microＳＤＴＭスロット部４ｂそれぞれに装着したmicroＳＤＴＭメモリカードを個別に扱うことはできないが、メモリバンクが異なるアドレスとして、それぞれに装着したmicroＳＤＴＭメモリカードとのデータの読み書き動作を同時に行うことは可能である。
【００３４】
なお、第１microＳＤＴＭスロット部４ａ、第２microＳＤＴＭスロット部４ｂそれぞれに装着した２枚のmicroＳＤＴＭメモリカードを統合して連続した１つのmicroＳＤＴＭメモリカードとして扱っている統合モードの場合であっても、異なるアドレスとして、一方のmicroＳＤＴＭメモリカードの記録内容を他方のmicroＳＤＴＭメモリカードにコピーしたり、移動したりすることも、また、両者の記録内容を比較照合したりすることも当然のことながら可能である。
【００３５】
また、前述の説明においては、ユーザによる操作部３のキーマトリクス１６の操作により、第１microＳＤＴＭスロット部４ａ、第２microＳＤＴＭスロット部４ｂそれぞれに装着した２枚のmicroＳＤＴＭメモリカードを個別に扱う分離モードに設定するか、または、統合して扱う統合モードに設定するかの指示を行う場合について説明したが、本発明は、かかる場合に限るものではない。
【００３６】
例えば、図２のメニュー部２１や図３のメニュー部２１Ａの画面中に、２枚のmicroＳＤＴＭメモリカードを個別に扱う分離モードに設定するか、または、統合して扱う統合モードに設定するかのいずれかを選択することが可能なモード切り替えボタンを画面表示するようにして、図２のメニュー部２１や図３のメニュー部２１Ａの画面表示を確認した当該携帯電話機のユーザが、当該メニュー画面２１，２１Ａ上の該モード切り替えボタンを選択することによって、２枚のmicroＳＤＴＭメモリカードを個別に扱う分離モードと統合して扱う統合モードとを切り替えるようにしても良い。さらに、別の画面中にも、同様のモード切り替えボタンを画面表示するようにして、携帯電話機のユーザが、随時、必要に応じて、個別に扱うか統合して扱うかを切り替えることができるようにしても良い。
【００３７】
（実施形態の効果の説明）
以上に詳細に説明したように、本実施形態においては次のような効果が得られる。
【００３８】
本発明の携帯通信端末の一例である携帯電話機に、マイクロメモリカードの一例であるmicroＳＤＴＭメモリカードを２枚装着することができる２個のmicroＳＤＴＭスロットを備えることによって、データの保存が可能な記録領域を増加することを可能とするとともに、２枚のmicroＳＤＴＭメモリカードを個別に分離して扱うことも、統合して１つのmicroＳＤＴＭメモリカードとして扱うことも可能であり、かつ、当該携帯電話機のユーザが、個別に分離して扱うか統合して１つのmicroＳＤＴＭメモリカードとして扱うかを任意に選択することも可能である。
【００３９】
さらに、２枚のmicroＳＤＴＭメモリカードを個別に分離して扱うか統合して１つのmicroＳＤＴＭメモリカードとして扱うかの如何によらず、２枚のmicroＳＤＴＭメモリカード間でデータをコピーしたり、移動したり、比較したりすることも可能である。
【００４０】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）複数個の前記メモリカードスロットを、当該携帯通信端末の筐体内に並列におよび／または上下に実装する上記（１）の携帯通信端末。
（３）当該携帯通信端末が、蓋側筐体と本体側筐体とからなる開閉自在の構造を有している場合、複数個の前記メモリカードスロットを、前記本体側筐体にまとめて実装するか、あるいは、前記蓋側筐体と前記本体側筐体とに分離して実装する上記（１）または（２）の携帯通信端末。
（４）複数個の前記メモリカードスロットそれぞれに装着されている複数枚の前記マイクロメモリカード間で、データのコピー、移動、比較照合を行うことが可能である上記（１）ないし（３）のいずれかの携帯通信端末。
（５）複数個の前記メモリカードスロットそれぞれに装着されている複数枚の前記マイクロメモリカードを分離して個別のマイクロメモリカードとして扱う分離モードと、複数枚の前記マイクロメモリカードを統合して１枚のマイクロメモリカードとして扱う統合モードとの２つのモードを備えている上記（１）ないし（３）のいずれかの携帯通信端末。
（６）当該携帯通信端末のユーザが、当該携帯通信端末の操作部を操作することにより、２つの前記モードのうちいずれかを選択して設定することができる上記（５）の携帯通信端末。
（７）当該携帯通信端末のユーザからの指示により画面表示するメニュー画面として、前記分離モードに設定している場合には、個別に扱っている前記マイクロメモリカードそれぞれの記録領域の使用量を画面表示し、前記統合モードに設定している場合には、複数枚の前記マイクロメモリカードを１枚に統合した合計の記録領域の使用量を画面表示するメニュー画面を有している上記（５）または（６）の携帯通信端末。
（８）前記メニュー画面中に２つの前記モード間の切り替えを当該携帯通信端末のユーザが行うことができるモード切り替えボタンを有している上記（６）の携帯通信端末。
（９）前記マイクロメモリカードがmicroＳＤＴＭメモリカードであり、前記メモリカードスロットが、前記microＳＤＴＭメモリカードを装着するためのmicroＳＤＴＭスロットである上記（１）ないし（８）のいずれかの携帯通信端末。
（１０）当該携帯通信端末が、携帯電話機、ＰＨＳ（Personal  Handy-Phone  System）端末、ＰＤＡ（Personal  Digital  Assistants）端末、携帯ノートＰＣ（Personal  Computer）のいずれかである上記（１）ないし（９）のいずれかの携帯通信端末。
【符号の説明】
【００４１】
１      筐体
２      メインＬＣＤ部
３      操作部
１１    制御回路
１２    音声回路
１３    チャネルコーデック
１４    無線回路
１５    表示回路
１６    キーマトリクス
４ａ    第１microＳＤＴＭスロット部
４ｂ    第２microＳＤＴＭスロット部
１７ａ  第１microＳＤＴＭスロット処理部
１７ｂ  第２microＳＤＴＭスロット処理部
２１    メニュー部
２１Ａ  メニュー部
【図１】
2010219840.tif 000003
【図２】
2010219840.tif 000004
【図３】
2010219840.tif 000005